(57)【要約】【課題】液晶表示装置を、バックマウントにより安全かつ確実にノートパソコン等の筐体に固定する事を目的とする。【解決手段】前面を開口５した有底箱状の底ケース４と、この底ケースの内面に沿って配設され、内部に複数の直管状の蛍光ランプ８を配置するランプ室７を形成し、かつ蛍光ランプの軸方向に直交する方向の端部に傾斜壁１４，１５を形成した反射板６と、蛍光ランプの前面に配設した光拡散板１９と、この光拡散板の前面に配設した液晶パネル２３とを備えたものにおいて、底ケースの反射板の傾斜壁と底ケース間に生じるコーナースペース１６，１７に対向位置して、バックマウント用の取付孔２８を設けて成るものである。【選択図】　　図３
2004045534.tif 000002
【特許請求の範囲】
【請求項１】
前面を開口した有底箱状の底ケースと、この底ケースの内面に沿って配設され、内部に複数の直管状の蛍光ランプを配置するランプ室を形成し、かつ上記蛍光ランプの軸方向に直交する方向の端部に傾斜壁を形成した反射板と、上記蛍光ランプの前面に配設した光拡散板と、この光拡散板の前面に配設した液晶パネルとを備えたものにおいて、上記底ケースの、上記反射板の傾斜壁と底ケース間に生じるコーナースペースに対向位置して、バックマウント用の取付孔を設けた事を特徴とする液晶表示装置。
【発明の詳細な説明】
【０００１】
【発明の属する技術分野】
本発明は、液晶パネルの背面に照明用のバックライト装置を一体的に配設した液晶表示装置に関するものである。
【０００２】
【従来の技術】
主にノートパソコンや液晶ＴＶ、パソコン用液晶モニタ等に用いられる液晶表示装置で、特に、液晶パネルの背面に照明用のバックライト装置を一体的に配設した液晶表示装置をノートパソコンや液晶ＴＶ等の筐体に内蔵する場合には、例えば特開２００２−２３１４０号公報の図１４〜図１６にて示される方法により装置の背面を用いて筐体に固定することで、装置の狭額縁化を計ることが提案されている。
【０００３】
一方、上記図１４〜図１６に示される構造では、何らかの理由により、誤って仕様書に記載されるであろう規定寸法以上のネジを使用して筐体の背面フレームに固定した場合、ネジの先端が内部部品に当たって部品を損傷し、輝度むらの発生や回路部品の損傷を招く恐れがある。
【０００４】
【発明が解決しようとする課題】
そこで本発明は、液晶表示装置を、安全かつ確実に背面にて筐体に固定し得る様にする事を目的とするものである。
【０００５】
【課題を解決するための手段】
本発明は、前面を開口した有底箱状の底ケースと、この底ケースの内面に沿って配設され、内部に複数の直管状の蛍光ランプを配置するランプ室を形成し、かつ蛍光ランプの軸方向に直交する方向の端部に傾斜壁を形成した反射板と、蛍光ランプの前面に配設した光拡散板と、この光拡散板の前面に配設した液晶パネルとを備えたものにおいて、底ケースの、反射板の傾斜壁と底ケース間に生じるコーナースペースに対向位置して、バックマウント用の取付孔を設けて成るものである。
【０００６】
【発明の実施の形態】
本発明の実施例を先ず図１に基づき説明すると、１は例えば１５インチ以上の比較的大型で横長の液晶表示装置で、バックライト装置２の前面に、大画面に適したＳＴＮ液晶パネルやＴＦＴ液晶パネルにて構成した液晶表示器３を連結して構成している。
【０００７】
一方、上記バックライト装置２は、前面を開口５した有底箱状の底ケース４の内面に、内表面を光反射率の高い白色系に着色した反射板６を固定し、この反射板の内部にランプ室７を形成していると共に、このランプ室内に、複数の冷陰極蛍光管や熱陰極蛍光管等から成る直管型の蛍光ランプ８・・を、所定の間隔を置いて横並びにて、所謂直下型に収納配置している。
【０００８】
又、上記反射板６の内部底面には、上記蛍光ランプ８・・間の背面に位置して断面が三角形状でポリカーボネート等の樹脂材にて形成した反射材９・・を、図２にて示す複数のネジ１０・・にて上記底ケース４の背面より固定している。
【０００９】
尚、上記図１はバックライト装置２と液晶表示器３を分離させた状態の斜視図であり、図２はこれらバックライト装置と液晶表示器を組み合わせ、かつ上記底ケースの背面上部及び背面下端部にシールドカバー１１，１２を複数のネジ１３・・により固定した状態の背面図である。
【００１０】
一方、上記反射板６の蛍光ランプ８・・の軸方向に直交する短辺側の両端部は、図３及び図４にても示す様に例えば６０°前後に折曲して傾斜壁１４，１５を形成し、これにより上記底ケース４との間にコーナースペース１６，１７が区画形成される。尚、上記反射板６の傾斜壁１４，１５よりも先端部は、更に底面と平行に折曲して上記底ケース４の開口５部に折曲形成した鍔部１８に重ね合わせ、かつこの上に板厚が２〜３ｍｍ程度でアクリルやポリカーボネート等の透光性樹脂からなる光拡散板１９を配設し、この光拡散板と反射板６で上記ランプ室７を区画形成している。又、上記光拡散板１９の前面には、集光性シート２０・・等を積層したシート類を積層配置している。
【００１１】
更に上記鍔部１８には、板金を略Ｌ字状に折曲成形したセンターシャーシ２１をネジ２２止めし、このセンターシャーシの上片２１ａと上記鍔部１８により、上記光拡散板６やシート類を固定していると共に、上記上片２１ａの前面側に液晶パネル２３の周縁部を載置し、かつ該部に板金を断面略Ｌ字状に折曲して形成した外枠２４を被着してネジ２５止めすることで、この外枠と上記上片２１ａとの間に上記液晶パネル２３を固定している。尚、上記液晶パネル２３は、２枚の透明電極付きガラス基板２６，２６の間に液晶を封入し、かつこれらガラス基板の前後に偏向板や位相差板等の光学シート２７，２７を配置して構成している。
【００１２】
一方、上記底ケース４のコーナースペース１６，１７に対向する位置には、図示しないノートパソコンや液晶ＴＶ等の筐体や、筐体に固定する固定金具を所謂バックマウント方式で固定する複数の取付孔２８・・を穿孔し、かつこれら固定孔の内部にはネジ溝２９・・を形成した取付ナット等の固定金具３０・・を溶接等により固定している。
【００１３】
尚、上記実施例では、取付孔２８・・の内側に固定金具３０・・を固定しているが、これに限定されることなく、取付孔２８・・自身にタップネジを形成したり、ナット部分を取付孔２８・・より内部に挿入した後、ネジの締め付けによってナット部分の直径が取付孔２８・・の直径より大きくなって抜止めを行う方式のネジを用いても良く、この場合には部品点数の削減や、作業効率の向上によるコストダウンを計ることが出来る。又、上記構成の場合、上記取付孔２８・・を機械的強度の高い底ケース４のコーナー部分に設けたことで、ネジの締め付けによる底ケース４の変形を防止出来る。
【００１４】
図３中において３１は、上記底ケース４の背面上部に図示しないネジにより固定した液晶パネル２３駆動用の回路基板で、背面を上記シールドカバー１１により被覆していると共に、上記取付孔２８・・に対向位置して貫通孔３２を穿孔し、かつこの貫通孔内に両端部を上記底ケース４とシールドカバー１１に各々当接したスペーサ金具３３を設置している。尚、スペーサ金具３３は、カシメや溶接等により底ケース４又はシールドカバー１１に固定すれば良い。
【００１５】
而して、上記液晶表示装置１をノートパソコン等の筐体に所謂バックマウント方式により固定する場合には、上記筐体の取付け部分、又は取付用金具を上記シールドカバー１１及び底ケース４の取付孔２８・・に対向位置し、これら取付け部分又は取付用金具に穿孔した取付孔にネジを通し、このネジを上記取付孔２８・・のネジ溝２９・・に螺入することで、簡単かつ確実に固定出来るものである。
【００１６】
又、上記取り付けに際しては、誤って例えば図３及び図４中に示す上記反射材９・・を固定するネジ１０・・を螺入するネジ孔３４・・の深さＣよりも多少長いネジ３５・・を使って装着しても、このネジの先端が反射板１４に当たってこれを損傷することが無い。
【００１７】
尚、上記実施例では底ケース４の上記取付孔２８・・穿孔部分に座押し３６・・を形成し、該部の機械的強度を強化しているが、取付孔２８・・を底ケース４の側壁４ａに近接して位置することで、この側壁の折曲形成により機械的強度が上昇しており、取付時の底ケース４の変形を防止する事が出来るものである。
【００１８】
【発明の効果】
本発明の構成により、底ケースの、バックライト用反射板の傾斜壁との間に生じるコーナースペースに対向して、バックマウント用の取付孔を設けたことで、これら支持部材にて光拡散板等の荷重を略均等に分散して支持する事が出来、これによりわずかな支持突起で効果的に光拡散板等を支持し、これらの変形による表示品質の低下を防止する事が出来るものである。又、底ケースの比較的機械的強度の高いコーナー部分で固定する為、固定用ネジの締め付けによる底ケースの変形を防止する事が出来るものである。
【図面の簡単な説明】
【図１】本発明による実施例を示す分解斜視図である。
【図２】本発明による実施例を示す背面図である。
【図３】図２中のＡ−Ａ断面図である。
【図４】同じくＢ−Ｂ断面図である。
【符号の説明】
４　　底ケース
５　　開口
６　　反射板
７　　ランプ室
８　　蛍光ランプ
１４　傾斜壁
１５　傾斜壁
１６　コーナースペース
１７　コーナースペース
１９　光拡散板
２３　液晶パネル
２８　取付孔
【図１】
2004045534.tif 000003
【図２】
2004045534.tif 000004
【図３】
2004045534.tif 000005
【図４】
2004045534.tif 000006